(57)【要約】【課題】ケースの通気性が良く、排熱性能が高い住宅用分電盤を提供する。【解決手段】住宅用分電盤１は、前面を開口してブレーカ５，６が取り付けられる基台２と、ブレーカ５，６の操作ハンドル５ａ，６ａを操作孔３ｃから露出させて基台２を施蓋するカバー３とで箱状のケース４を構成し、基台２の側板部２ｂの端縁とカバー３の側板部３ｂの端縁の突き合わせ部に溝８を形成し、ケース４の側面の全周に形成された溝８の適宜箇所に通気孔９を設ける。【選択図】図１
2010011664.tif 000002
【特許請求の範囲】
【請求項１】
ブレーカが取り付けられる基台と、前記ブレーカの操作ハンドルを操作孔から露出させて前記基台を施蓋するカバーとで箱状のケースを構成する住宅用分電盤において、前記基台の端縁と前記カバーの端縁の突き合わせ部に通気孔を設けたことを特徴とする住宅用分電盤。
【請求項２】
前記突き合わせ部に溝を形成し、該溝に通気孔を設けたことを特徴とする請求項１に記載の住宅用分電盤。
【発明の詳細な説明】
【技術分野】
【０００１】
本発明は、基台とカバーとでブレーカを収容するケースを構成した住宅用分電盤に関する。
【背景技術】
【０００２】
住宅用分電盤は前面を開口した基台と、基台の前面開口を施蓋するカバーとで箱状のケースを構成し、基台にはブレーカが取り付けられて、カバーの操作孔からブレーカの操作ハンドルを操作可能に露出させている。住宅用分電盤は、通電によってブレーカが発熱してケースの内部温度が高くなるため、操作孔から放熱して自然冷却するようになっているが、外観を良くするためにカバーの前面に扉体を設けた場合は熱の排出がしづらく冷却性能が低下するため、ケースの扉体が納まる凹部に通気孔を設けて排熱性を向上させていた（例えば、特許文献１参照。）。また、ケースを半埋め込み設置できるようにケース側面に形成した取付段部に通気孔を設け、露出設置したときに通気孔が前方から見えないようにして外観を損なわないようにしつつ、排熱性を向上させていた（例えば、特許文献２参照。）。
【０００３】
【特許文献１】特開平１０−１２６９０８号公報（図１）
【特許文献２】特開２００６−５０８９９号公報（図３、図５）
【発明の開示】
【発明が解決しようとする課題】
【０００４】
しかしながら、扉体が納まるケースの凹部に通気孔を設けた住宅用分電盤では通気孔が扉体で覆われるために熱がこもりやすく、排熱性能が低いという欠点があった。また、ケースの側面の取付段部に通気孔を設けた住宅用分電盤は、建物の壁面に取付段部を当接させて半埋め込み設置した場合、通気孔が塞がれるため排熱ができなくなり、建物の壁面に基台の背面を当接させて露出設置した場合は、排熱時にケース内の空気がケースの側面に一旦当たってから通気孔を通って排出されるため通気性が良くなく、通気孔が壁面に対して垂直であるため、通気孔から排出された空気によって壁面が汚れるという問題があった。また、取付段部によりケースの側面後方が凹んでいるため、外観が良くないという欠点があった。
【課題を解決するための手段】
【０００５】
本発明は、請求項１に記載の発明によれば、ブレーカが取り付けられる基台と、ブレーカの操作ハンドルを操作孔から露出させて基台を施蓋するカバーとで箱状のケースを構成する住宅用分電盤において、基台とカバーの突き合わせ部に通気孔を設けたことを特徴とする。
【０００６】
請求項２に記載の発明によれば、請求項１に記載の住宅用分電盤において、突き合わせ部に溝を形成し、溝に通気孔を設けたことを特徴とする。
【発明の効果】
【０００７】
請求項１に記載の発明によれば、ケース内の空気が通気孔からまっすぐ排出されるので通気性が良く、排熱性能が向上する。また、住宅用分電盤を壁面に設置した際に通気孔が壁面に対して平行になるため、通気孔から排出された空気により壁面を汚すことがないという効果がある。
【０００８】
請求項２に記載の発明によれば、請求項１に記載の発明の効果に加えて、通気孔が目立たたないので、ケースの側面の取付段部をなくして平面にすることができ、外観を向上するという効果がある。
【発明を実施するための最良の形態】
【０００９】
住宅用分電盤は、前面を開口してブレーカが取り付けられる基台と、ブレーカの操作ハンドルを操作孔から露出させて基台を施蓋するカバーとで箱状のケースを構成し、基台の側板部の端縁とカバーの側板部の端縁の突き合わせ部に溝を形成し、ケースの側面の全周に形成された溝の適宜箇所に通気孔を設ける。
【実施例１】
【００１０】
本発明に係る住宅用分電盤の実施例１を図１〜図６の添付図面に基づいて説明する。
【００１１】
住宅用分電盤１は、前面を開口した基台２と、基台２の前面開口を施蓋するカバー３とで箱状のケース４を構成している。
【００１２】
基台２は略矩形状の背板部２ａの全周に亘って側板部２ｂが形成され、背板部２ａには主幹ブレーカ５、分岐ブレーカ６などが配置されている。また、背板部２ａには主幹ブレーカ５、分岐ブレーカ６に配線するための開口２ｃが形成されている。
【００１３】
カバー３は基台２と対向して前板部３ａの全周に亘って側板部３ｂが形成され、前板部３ａには主幹ブレーカ５の操作ハンドル５ａや分岐ブレーカ６の操作ハンドル６ａなどを操作可能に露出するための操作孔３ｃが形成されている。更に前板部３ａには露出した操作ハンドル５ａ，６ａを覆うように扉体７が開閉自在に設けられている。
【００１４】
また、基台２は側板部２ｂの端縁内側に段部２ｄが形成されている。そして、カバー３は基台２と対向して側板部３ｂの端縁外側に基台２の段部２ｄよりも深い段部３ｄが形成され、側板部３ｂの端縁の適宜箇所に段部３ｄと同じ深さの切欠３ｅが形成されている。
【００１５】
基台２とカバー３とは係合手段により係脱可能に形成され、基台２の前面にカバー３の位置を合わせて押し込むことで基台２にカバー３を取り付けることができる。こうして取り付けられたカバー３は側板部３ｂの端縁が基台２の段部２ｄに突き当たり、カバー３の段部３ｄが基台２の段部２ｄよりも深いため、基台２の端縁とカバー３の段部３ｄとでケース４の外面に溝８が形成される。このため、基台２の側板部２ｂの端縁とカバー３の側板部３ｂの端縁の突き合わせ部に形成された溝８にカバー３の切欠３ｅが適宜箇所に設けられて通気孔９が形成される。
【００１６】
このようにケース４の側面に通気孔９が設けられることで、ブレーカ５，６の発熱によって暖められた空気が通気孔９から排出され、ケース４内の温度上昇を抑えることができる。通気孔９はケース４の側面全周の適宜箇所に設けられてケース内の空気が通気孔からまっすぐ排出され、また、ケース外の空気も通気孔からまっすぐ流入するので通気性が良く、排熱性能が高い。また、住宅用分電盤１の基台２の背面板２ａを建物の壁面に当接させて露出設置した際に通気孔９が壁面に対して平行に設けられるため、ケース４から排出された空気により壁面を汚すことがない。また、通気孔９はカバー３と基台２との突き合わせ部の溝８に設けられるので目立たず、外観を損なうことがない。このため、ケース４の側面を平面に形成することができ、外観を向上することができる。
【００１７】
尚、本実施例では通気孔９はカバー３の端縁に切欠３ｅを形成することで構成しているが、基台２とカバー３の端縁の構造を逆にして基台２の端縁に切欠を形成して通気孔９を構成しても良い。
【図面の簡単な説明】
【００１８】
【図１】本発明に係る住宅用分電盤を示し、（ａ）は正面図、（ｂ）は底面図、（ｃ）は右側面図である。
【図２】本発明に係る住宅用分電盤のカバーを取り外した状態の基台の正面図である。
【図３】本発明に係る住宅用分電盤の扉体を外した状態のカバーの正面図である。
【図４】本発明に係る住宅用分電盤の部分底面図であり、（ａ）は基台にカバーを取り付ける前の様子、（ｂ）は基台にカバーを取り付けた様子を示す。
【図５】本発明に係る住宅用分電盤の側板部分の断面図である。
【図６】図５の要部拡大図である。
【符号の説明】
【００１９】
１    住宅用分電盤
２    基台
３    カバー
４    ケース
８    溝
９    通気孔
【図１】
2010011664.tif 000003
【図２】
2010011664.tif 000004
【図３】
2010011664.tif 000005
【図４】
2010011664.tif 000006
【図５】
2010011664.tif 000007
【図６】
2010011664.tif 000008